(57)【要約】【課題】高い洗浄性を有すると共に、被洗浄面に傷を付けることが無く、自動車、及び車両の装備品破損が無く、且つ高い耐久性を有する洗車機用洗浄ブラシのブラシ片を提供する。【解決手段】自動車洗浄用あるいは車両洗浄用の洗車機に使用する洗浄ブラシのブラシ片において、前記洗浄ブラシのブラシ片は、複数のフィラメントからなる不織布にて形成されてあり、前記フィラメントの一部は、外周面の長手方向に沿って、スリットにより発生した角部が少なくとも二箇所以上形成されてあるものである。【選択図】      図１
2007068954.tif 000002
【特許請求の範囲】
【請求項１】
自動車洗浄用あるいは車両洗浄用の洗車機に使用する洗浄ブラシのブラシ片において、前記洗浄ブラシのブラシ片は、複数のフィラメントからなる不織布にて形成されてあり、前記フィラメントの一部は、外周面の長手方向に沿って、スリットにより発生した角部が少なくとも二箇所以上形成されてあることを特徴とする洗車機用洗浄ブラシのブラシ片。
【請求項２】
請求項１記載の構成よりなる洗車機用洗浄ブラシのブラシ片において、前記不織布にたいして高分子弾性体が、コーティング、バインダー固着、あるいは練り込まれてあることを特徴とする洗車機用洗浄ブラシのブラシ片。
【請求項３】
請求項１から２記載の構成よりなる洗車機用洗浄ブラシのブラシ片において、前記不織布にたいして撥水剤がコーティングされてあることを特徴とする洗車機用洗浄ブラシのブラシ片。
【請求項４】
請求項１から３のいずれか１項に記載の前記洗車機用洗浄ブラシのブラシ片が使用されてある洗車機用洗浄ブラシ。
【請求項５】
駆動源と、被洗浄面に散布する洗浄剤、及び水を噴出させるノズルと、洗浄後の被洗浄面を乾燥させる乾燥手段を備えると共に、請求項４に記載の前記洗車機用洗浄ブラシが搭載されてある洗車機。
【発明の詳細な説明】
【技術分野】
【０００１】  本発明は、自動車あるいは車両の外面の被洗浄面に付着した汚れ等を洗浄する為の洗車機に使用する洗浄ブラシのブラシ片、及びそれを用いた洗車機用洗浄ブラシ、及びその洗車機用洗浄ブラシを用いた洗車機に関するものである。
【背景技術】
【０００２】  自動車あるいは車両の外面の被洗浄面に付着した汚れ等を洗浄する為の洗車機に使用する洗浄ブラシのブラシ片に関しては、使用目的に応じて、さまざまな改良がなされ、材質については、合成樹脂繊維、布、フィルム状樹脂組成物、独立気泡発泡体等を使用したブラシ片が提案されてある。ところで、合成樹脂繊維は洗い残しが少なく、洗浄性が良好で、水を含まない為、凍結しにくいが、被洗浄面に傷を付けやすいという特徴を持っている。布は被洗浄面に柔らかく接触する為、被洗浄面に傷を付けにくいが、水を含む為、凍結しやすく、弾性変形しないことから、破れ、ほつれ、切れが発生し、耐久性が劣るという特徴を持っている。フィルムは洗浄時の音が小さく、被洗浄面に傷を付けにくいが、毛腰が弱く、耐久性が低いという特徴を有している。独立気泡発泡体は耐久性が良好で、被洗浄面に傷を付けにくいが、洗浄性が低いという特徴を有している。【０００３】  従来の洗車機用洗浄ブラシのブラシ片は、上記の如くの特徴を有しているが、合成樹脂繊維においては、例えば、剛性度が１２００ｋｇ／ｃｍ２〜５０００ｋｇ／ｃｍ２の熱可塑性樹脂で構成された分岐形状の断面をなす発泡糸で、発泡倍率が１．１〜１．７倍であることを特徴とする回転ブラシ用発泡糸が、特公平６−２１３７１号公報に開示されてある。前記回転ブラシ用発泡糸は、熱可塑性樹脂に発泡剤を添加して、低発泡で発泡化することにより、腰の強さ、強度等を保ちつつ、柔軟性の高いブラシ用毛材を実現しているという特徴を有している。【０００４】  また、布においては、例えば、見掛け密度が０．２〜１ｇ／ｃｍ３で、熱圧着面積が４〜４５％で部分熱圧着され、かつ撥水度が５０以上である合成長繊維不織布からなることを特徴とする洗車用ブラシが、特許第３１９１５３４号に開示されてある。前記洗車用ブラシは、自動車の塗装面を傷つけない合成長繊維不織布からなり、洗浄中に自動車の塗装面を痛めることが無いという特徴を有している。【０００５】  また、極細繊維を用いた洗車ブラシに関しては、例えば、ブラシ用布帛が通水可能な貫通孔を複数個有することを特徴とする洗車用ブラシが特開２００４−１２３０９１号公報に開示されてある。前記洗車用ブラシは、布帛が複数の通水可能な貫通孔を有すると共に、極細繊維が用いられていることから、排水性に優れ、洗浄性ならびに拭き取り作業性に優れる上に、柔軟で軽量性を維持することができるという特徴を有している。【０００６】
【特許文献１】  特公平６−２１３７１号公報
【特許文献２】  特許第３１９１５３４号
【特許文献３】  特開２００４−１２３０９１号公報
【発明の開示】
【発明が解決しようとする課題】
【０００７】  従来の洗車機用洗浄ブラシのブラシ片は、例えば、上記の如くの各種の特徴を有する技術が開示されてあるが、特公平６−２１３７１号公報に開示されてある技術においては、上記の如く、熱可塑性樹脂に発泡剤を添加して、低発泡で発泡化しているものの、被洗浄面に傷を付けやすいという課題を有している。また、特許第３１９１５３４号に開示されてある技術においては、ブラシ片が弾性変形しない為、切れ、破れ、ほつれ、座屈等による耐久性の低さという課題を有している。さらに、特開２００４−１２３０９１号公報に開示されてある技術においては、自動車、及び車両の装備品であるワイパーやアンテナ等が貫通孔に引っ掛かり、装備品の破損につながるという課題を有している。【０００８】  本発明は、上記のような課題を解決するためになされたもので、高い洗浄性を有すると共に、被洗浄面に傷を付けることが無く、自動車、及び車両の装備品の破損が無く、且つ高い耐久性を有する洗車機用洗浄ブラシのブラシ片を提供することを目的としている。
【課題を解決するための手段】
【０００９】  本発明にかかる洗車機用洗浄ブラシのブラシ片は、次のように構成したものである。
（１）自動車洗浄用あるいは車両洗浄用の洗車機に使用する洗浄ブラシのブラシ片において、前記洗浄ブラシのブラシ片は、複数のフィラメントからなる不織布にて形成されてあり、前記フィラメントの一部は、外周面の長手方向に沿って、スリットにより発生した角部が少なくとも二箇所以上形成されてあるものである。【００１０】  （２）上記（１）記載の洗車機用洗浄ブラシのブラシ片において、前記不織布にたいして高分子弾性体が、コーティング、バインダー固着、あるいは練り込まれてあるものである。【００１１】  （３）上記（１）から（２）記載の洗車機用洗浄ブラシのブラシ片において、前記不織布にたいして撥水剤がコーティングされてあるものである。【００１２】  （４）上記（１）から（３）のいずれか１項に記載の前記洗車機用洗浄ブラシのブラシ片が使用されてある洗車機用洗浄ブラシである。【００１３】  （５）駆動源と、被洗浄面に散布する洗浄剤、及び水を噴出させるノズルと、洗浄後の被洗浄面を乾燥させる乾燥手段を備えると共に、上記（４）に記載の前記洗車機用洗浄ブラシが搭載されてある洗車機である。
【発明の効果】
【００１４】  本発明の洗車機用洗浄ブラシのブラシ片は、次に示すような効果を得ることができる。なお、説明にあたっては、請求項の番号と同じ番号を付して説明する。【００１５】  （１）ブラシ片は、複数のフィラメントからなる不織布にて形成されてあり、前記フィラメントの一部は、外周面の長手方向に沿って、スリットにより発生した角部が少なくとも二箇所以上形成されてある。その為、ブラシ片は、フィラメントの有する角部による汚れの掻き出し、及びブラッシング効果に優れており、高い洗浄性を発現させることができる。また、スリットに水等が溜まりやすく、洗車時における保水性に優れていると共に、洗車後は、ブラシの空運転によるブラシ片からの水引きが速く、速乾性を有していることから、高い凍結防止性を有することができる。【００１６】  （２）前記不織布にたいして、高分子弾性体が、コーティング、バインダー固着、あるいは練り込まれてある。その為、ブラシ片は、不織布が有する高い洗浄性を保持しつつ、高分子弾性体が弾性を有していることから、被労屈折等による座屈、あるいは破れ、ほつれ等が無く、高い耐久性を有することができる。また、高分子弾性体は、柔軟性を有している為、洗車中に被洗浄体である自動車、あるいは車両の車体に傷を付けることが無い。また、高分子弾性体がフィラメントにたいして部分的に付着されてある場合においては、高分子弾性体が付着している部分、及び付着していない部分とで異なる強度により、車体にブラシ片を接触させることができる。【００１７】  （３）前記不織布にたいして、撥水剤がコーティングされてある。その為、ブラシ片は、撥水剤がコーティングされてあることから、洗車中に水等を極めて含み難く、水等で重くなることが無く、ブラシの洗車時における回転バランスが崩れることが無く、被洗浄体である自動車、あるいは車両の装備品を破損させることが無い。【００１８】  （４）上記（１）から（３）のいずれか１項に記載の前記洗車機用洗浄ブラシのブラシ片が使用されてある。その為、洗車機用洗浄ブラシは、前記洗車機用洗浄ブラシのブラシ片が有する高い洗浄性を保持しつつ、チャンネルブラシの間隔、及びチャンネルブラシの傾き角度等を調整することにより、被洗浄面に均一にブラシ片を当てることができ、被洗浄面の洗い残しを無くすことができる。【００１９】  前記洗車機用洗浄ブラシのブラシ片の使用枚数、及び台座上の溝部の間隔等を調整することにより、ブラシ片を被洗浄面に連続的に当てることができ、洗車時における被洗浄面にたいするブラシ片の接触音を低減させることができる。【００２０】  （５）駆動源と、被洗浄面に散布する洗浄剤、及び水を噴出させるノズルと、洗浄後の被洗浄面を乾燥させる乾燥手段を備えると共に、上記（４）に記載の前記洗車機用洗浄ブラシが搭載されてある。その為、前記洗車機用洗浄ブラシに使用されてある洗車機用洗浄ブラシのブラシ片は、上記の如く、高い凍結防止性を有していることから、前記洗車機用洗浄ブラシの重量は水分等で重くなることが無く、駆動源にたいする負荷が軽減されると共に、洗車機用洗浄ブラシにたいするメンテナンスの軽減を図ることができる。
【発明を実施するための最良の形態】
【００２１】  高い洗浄性を有すると共に、被洗浄面に傷を付けることが無く、自動車、及び車両の装備品の破損が無く、且つ高い耐久性を有する洗車機用洗浄ブラシのブラシ片を提供するという目的を、前記洗浄ブラシのブラシ片は、複数のフィラメントからなる不織布にて形成されてあり、前記フィラメントの一部は、外周面の長手方向に沿って、スリットにより発生した角部が少なくとも二箇所以上形成されてあるという構成において実現した。
【実施例１】
【００２２】  図１から図２にて実施例１を示す。図１は、本発明の洗車機用洗浄ブラシのブラシ片を前面側から見た斜視図である。図１において、１はブラシ片、２は不織布、３はフィラメントである。図２は、図１の部分拡大図である。図２において、４はスリット、５は角部である。【００２３】  洗車機用洗浄ブラシのブラシ片１は、図１の如く、平板状に形成されてあると共に、複数のフィラメント３からなる不織布２にて形成されてある。また、図２（Ａ）から（Ｃ）の如く、不織布２を構成するフィラメント３の一部は、外周面の長手方向に沿って、スリット４により発生した角部５が少なくとも二箇所以上形成されてある。図２（Ａ）は、フィラメント３の一部分がスリット４により裂けた形状であり、図２（Ａ１）の如く、スリット４、及び二箇所の角部５を有する断面形状をなす。また、図２（Ｂ）は、フィラメント３の先端部から中途部までがスリット４により裂けた形状であり、図２（Ｂ１）の如く、スリット４、及び二箇所の角部５を有する断面形状をなす。また、図２（Ｃ）は、フィラメント３の先端部から末端部までがスリット４により裂けた形状であり、図２（Ｃ１）の如く、複数のスリット４、及び二箇所以上の角部５を有する断面形状をなす。なお、フィラメント３の断面形状は、上記の如くの形状に限定されるものでは無く、フィラメント３の外周面の長手方向に沿って、スリット４により発生した角部５が少なくとも二箇所以上形成されてあれば良い。フィラメント３は、例えば、ポリエチレンテレフタレート、ポリブチレンテレフタレート等のポリエステル、ポリアミド６、ポリアミド６６等のナイロン、ポリエチレン、ポリプロピレン等のポリオレフィンなどの材質が、少なくとも１種類以上使用されてある。【００２４】  次に、ブラシ片１の製造手順について説明する。最初に、ポリエチレンテレフタレート、ポリブチレンテレフタレート、ポリアミド６、ポリアミド６６、ポリエチレン、ポリプロピレン等の熱可塑性樹脂を溶融紡糸して、フィラメント３を得る。得られたフィラメント３に、特殊な針を突き刺して、前記フィラメント３を立体的に絡合する。前記の如く、立体的に絡合させる製造方法は、一般的には、ニードルパンチングと呼ばれており、立体的に絡合されたフィラメント３はウエブと呼ばれている。次いで、前記ウエブにたいして、１００ｋｇ〜１５０ｋｇ程度の高圧水流を当てて、フィラメント３を結合させると共に、前記フィラメント３は、高圧水流が当たることにより、外周面の長手方向に沿って、スリット４が発生すると共に、細分割されて極細繊維を形成する。前記の如く、高圧水流を当てて、フィラメント３を結合させ、不織布２を得る製造方法は、一般的には、水流絡合方式と呼ばれている。また、極細繊維とは、繊度が１デシテックス未満の繊維のことであり、１デシテックスとは、糸長１００００ｍ当たり１ｇの重量の繊維のことをいう。【００２５】  次に、本発明の洗車機用洗浄ブラシのブラシ片１の洗浄性について試験した。表１に試験に用いた試験片の組成を示す。下記に示した要領で測定し、その結果を表２に示した。なお、比較例として、フィラメントを熱ロールで加圧し、フィラメント間を結合させるスパンボンド方式により���造された不織布を用いた。【００２６】  断面が長方形である幅５０ｍｍ×厚み０．５ｍｍ×長さ２２６ｍｍの帯状試験片を四本切り出した。【００２７】  そして、直径が１１４ｍｍで且つ長さが３６０ｍｍの円柱状回転体の外周面における長さ方向の中央部に、各試験片をその長さ方向の中央部分から二つ折りした上で、幅方向が回転体の長さ方向に合致し且つ試験片の屈曲部外面が回転体の外周面に当接した状態にして、回転体の周方向に等間隔毎に取り付けた。【００２８】  次に、上記回転体を２４０ｒｐｍの一定の回転速度で回転させる一方、一面に人工汚れを塗布した白色ソリッド塗装鋼板を用意し、上記回転速度で回転している回転体の外周面に取り付けた各試験片の先端が描く仮想円上から３０ｍｍだけ回転体の回転軸方向に近接した位置に上記白色ソリッド塗装鋼板を、その汚れ面が回転体に対向した状態に配設して１０分間に亘って鋼板の汚れ面に試験片を順次、摺接させることによって鋼板の汚れを除去した。【００２９】  そして、鋼板の汚れ面における試験片によって汚れを除去した部分の明度を色差計で測定して、下記基準により判断した。
○・・・＋３以上
△・・・＋２
×・・・＋１以下【００３０】
【表１】
2007068954.tif 000003
【００３１】
【表２】
2007068954.tif 000004
【００３２】  上記の如くの試験の結果、洗浄性においては、実施例１は＋３以上であった。【００３３】  実施例１のブラシ片１は、上記の如くの構成となっているので、前記洗浄ブラシのブラシ片１は、複数のフィラメント３からなる不織布２にて形成されてあり、前記フィラメント３の一部は、外周面の長手方向に沿って、スリット４により発生した角部５が少なくとも二箇所以上形成されてある。その為、ブラシ片１は、フィラメント３の有する角部５による汚れの掻き出し、及びブラッシング効果に優れており、高い洗浄性を発現させることができる。また、スリット４に水等が溜まりやすく、洗車時における保水性に優れていると共に、洗車後は、ブラシの空運転によるブラシ片１からの水引きが速く、速乾性を有していることから、高い凍結防止性を有することができる。
【実施例２】
【００３４】  図３にて実施例２を示す。図３は、本発明の洗車機用洗浄ブラシのブラシ片を前面側から見た斜視図、及ひ部分拡大図である。図３において、１１はブラシ片、１２は不織布、１３はフィラメント、１６は高分子弾性体である。【００３５】  洗車機用洗浄ブラシのブラシ片１１は、図３の如く、平板状に形成されてあると共に、複数のフィラメント１３からなる不織布１２にて形成されてある。また、前記不織布１２にたいして、高分子弾性体１６が付着して形成されてある。図３（Ａ２）から（Ｃ２）は、フィラメント１３にたいして高分子弾性体１６が付着されてある断面図である。前記高分子弾性体１６は、不織布１２を構成するフィラメント１３にたいして、図３（Ａ２）から（Ｃ２）の如く、全面的に付着していても良いし、部分的に付着していても良い。前記高分子弾性体１６は、例えば、ウレタンゴム、アクリルゴム、スチレンゴム、ニトリルゴム、シリコーンゴム、フッ素ゴム等の材質が、少なくとも１種類以上使用されてある。【００３６】  次に、ブラシ片１１の製造手順について説明する。最初に、上記水流絡合方式により、不織布１２を得る。次いで、前記不織布１２にたいして、高分子弾性体１６を、コーティング、バインダー固着、あるいは練り込み等の方法により付着させる。【００３７】  次に、本発明の洗車機用洗浄ブラシのブラシ片１１の耐摩耗性について試験した。表３に、試験に用いた試験片の組成を示す。下記に示した要領で測定し、その結果を表４に示した。なお、比較例として、上記スパンボンド方式により製造された不織布を用いた。【００３８】  断面が長方形である幅５０ｍｍ×厚み０．５ｍｍ×長さ２２６ｍｍの帯状試験片を四本切り出し、各試験片の重量を測定してこれら試験片の平均重量をＷ１とした。【００３９】  そして、直径が１１４ｍｍで且つ長さが３６０ｍｍの円柱状回転体の外周面における長さ方向の中央部に、各試験片をその長さ方向の中央部分から二つ折りした上で、幅方向が回転体の長さ方向に合致し且つ試験片の屈曲部外面が回転体の外周面に当接した状態にして、回転体の周方向に等間隔毎に取り付けた。【００４０】  次に、上記回転体を２４０ｒｐｍの一定の回転速度で回転させる一方、表面粗さ１００の金属板を用意し、上記回転速度で回転している回転体の外周面に取り付けた各試験片の先端が描く仮想円上から３０ｍｍだけ回転体の回転軸方向に近接した位置に上記金属板を、その表面粗さ１００とされた面を対向した状態に配設して２４時間に亘って金属板の表面に試験片を順次、摺接させた。【００４１】  そして、金属板の表面に上述のようにして擦り付けた後の各試験片の重量を測定して、これら試験片の平均重量をＷ２とし、下記式によって試験前後のブラシ片の重量変化を算出し、下記基準により耐摩耗性を判断した。
重量変化率（％）＝１００×（Ｗ１−Ｗ２）／Ｗ１【００４２】  ○・・・重量変化率が０．５％未満であった。
△・・・重量変化率が０．５〜１．０％であった。
×・・・重量変化率が１．０％を超えていた。【００４３】
【表３】
2007068954.tif 000005
【００４４】
【表４】
2007068954.tif 000006
【００４５】  上記の如くの試験の結果、耐摩耗性においては、実施例２は、重量変化率が０．５％未満であった。【００４６】  実施例２のブラシ片１１は、上記の如くの構成となっているので、前記不織布１２にたいして、高分子弾性体１６が、コーティング、バインダー固着、あるいは練り込まれてある。その為、ブラシ片１１は、不織布１２が有する高い洗浄性を保持しつつ、高分子弾性体１６が弾性を有していることから、被労屈折等による座屈、あるいは破れ、ほつれ等が無く、高い耐久性を有することができる。また、高分子弾性体１６は、柔軟性を有している為、洗車中に被洗浄体である自動車、あるいは車両の車体に傷を付けることが無い。また、高分子弾性体１６がフィラメント１３にたいして部分的に付着されてある場合においては、高分子弾性体１６が付着している部分、及び付着していない部分とで異なる強度により、車体にブラシ片１１を接触させることができる。
【実施例３】
【００４７】  図４にて実施例３を示す。図４は、本発明の洗車機用洗浄ブラシのブラシ片を前面側から見た斜視図、及び部分拡大図である。図４において、２１はブラシ片、２２は不織布、２３はフィラメント、２６は撥水剤である。【００４８】  洗車機用洗浄ブラシのブラシ片２１は、図４の如く、平板状に形成されてあると共に、不織布２２にて形成されてある。また、前記不織布２２にたいして、撥水剤２６がコーティングして付着されてある。図４（Ａ３）から（Ｃ３）は、フィラメント２３にたいして撥水剤２６が付着されてある断面図である。また、図４（Ａ３）から（Ｃ３）の如く、前記撥水剤２６は、不織布２２を構成するフィラメント２３にたいして、全面的に付着している。前記撥水剤２６は、例えば、シリコーン、フッ素、メラミン等の撥水性能を有する材質が少なくとも１種類以上使用されてあり、含浸、浸漬、スプレー等の方法により、前記不織布２２にたいして、コーティングされてある。【００４９】  実施例３のブラシ片２１は、上記の如くの構成となっているので、前記不織布２２にたいして、撥水剤２６がコーティングされてある。その為、ブラシ片２１は、撥水剤２６がコーティングされてあることから、洗車中に水等を極めて含み難く、水等で重くなることが無く、ブラシの洗車時における回転バランスが崩れることが無く、被洗浄体である自動車、あるいは車両の装備品を破損させることが無い。
【実施例４】
【００５０】  図５にて実施例４を示す。図５は、本発明の洗車機用洗浄ブラシのブラシ片が使用されてある洗車機用洗浄ブラシを前面側から見た斜視図である。図５において、３１は洗車機用洗浄ブラシ、３２は台座、３３はチャンネルブラシ、３４は止め金具である。【００５１】  洗車機用洗浄ブラシ３１は、図５の如く、ブラシ片１、台座３２、チャンネルブラシ３３、及び止め金具３４より構成されてある。台座３２は、略円筒形状からなり、外周の両端部には、止め金具３４が組み付けられて形成されてある。チャンネルブラシ３３は、ブラシ片１を芯線、及び概Ｕ字断面を有する帯状体にて挟み付けて折り込んだ後、台座３２の外周の周りに捩りを加えて螺旋状に形成されてあり、止め金具３４にて固定されてある。【００５２】  実施例４の洗車機用洗浄ブラシ３１は、上記の如くの構成となっているので、実施例１から３のいずれか１項に記載の前記洗車機用洗浄ブラシのブラシ片１が使用されてある。その為、洗車機用洗浄ブラシ３１は、前記洗車機用洗浄ブラシのブラシ片１が有する高い洗浄性を保持しつつ、チャンネルブラシ３３の間隔、及びチャンネルブラシ３３の傾き角度等を調整することにより、被洗浄面に均一にブラシ片１を当てることができ、被洗浄面の洗い残しを無くすことができる。【００５３】  次に、図６にて、本発明の実施例４の洗車機用洗浄ブラシの他の実施の形態を示す。図６は、本発明の洗車機用洗浄ブラシのブラシ片が使用されてある他の形態の洗車機用洗浄ブラシを前面側から見た斜視図である。図６において、４１は洗車機用洗浄ブラシ、４２は台座、４４は止め金具、４５は溝部である。【００５４】  洗車機用洗浄ブラシ４１は、図６の如く、ブラシ片１、台座４２、止め金具４４、溝部４５より構成されてある。台座４２は、略円筒形状からなり、外周の両端部には、止め金具４４が組み付けられてあると共に、溝部４５が形成されてある。ブラシ片１は、概Ｕ字断面を有する帯状体にて溝部４５に勘合挿入されてあり、止め金具４４にて固定されてある。【００５５】  実施例４の他の実施の形態の洗車機用洗浄ブラシ４１は、上記の如くの構成となっているので、前記洗車機用洗浄ブラシのブラシ片１の使用枚数、及び台座４２上の溝部４５の間隔等を調整することにより、ブラシ片１を被洗浄面に連続的に当てることができ、洗車時における被洗浄面にたいするブラシ片１の接触音を低減させることができる。【００５６】  なお、ブラシ構造に関しては、特に限定されるものでは無く、上記の如くの構造以外にも、使用目的に応じて、適時、設定することができる。
【実施例５】
【００５７】  図７にて実施例５を示す。図７は、本発明の洗車機用洗浄ブラシのブラシ片が使用されてある洗車機用洗浄ブラシが搭載されてある洗車機の正面図である。図７において、５０は洗車機、５１は洗車機用洗浄ブラシ、５２は駆動源、５３はノズル、５４は乾燥機である。【００５８】  洗車機５０は、洗車機用洗浄ブラシ５１が搭載されてあり、前記洗車機用洗浄ブラシ５１は駆動源５２により回転される。ノズル５３からは、被洗浄面にたいして、洗浄剤、及び水が散布され、前記洗車機用洗浄ブラシ５１により洗浄され、洗浄後は、乾燥機５４等の乾燥手段により被洗浄面が乾燥される。【００５９】  実施例５の洗車機５０は、上記の如くの構成となっているので、駆動源５２と、被洗浄面に散布する洗浄剤、及び水を噴出させるノズル５３と、洗浄後の被洗浄面を乾燥させる乾燥機５４等の乾燥手段を備えると共に、上記実施例４に記載の前記洗車機用洗浄ブラシ５１が搭載されてある。その為、前記洗車機用洗浄ブラシ５１に使用されてある洗車機用洗浄ブラシのブラシ片は、上記の如く、高い凍結防止性を有していることから、前記洗車機用洗浄ブラシ５１の重量は水分等で重くなることが無く、駆動源５２にたいする負荷が軽減されると共に、洗車機用洗浄ブラシ５１にたいするメンテナンスの軽減を図ることができる。
【産業上の利用可能性】
【００６０】  本発明の洗車機用洗車ブラシのブラシ片は、主に、自動車あるいは車両の外面の被洗浄面に付着した汚れ等を洗浄する為の洗車機に搭載する洗浄ブラシのブラシ片として使用する。
【図面の簡単な説明】
【００６１】
【図１】  本発明の洗車機用洗浄ブラシのブラシ片を前面側から見た斜視図である。
【図２】  図１の部分拡大図である。
【図３】  本発明の洗車機用洗浄ブラシのブラシ片を前面側から見た斜視図、及び部分拡大図である。
【図４】  本発明の洗車機用洗浄ブラシのブラシ片を前面側から見た斜視図、及び部分拡大図である。
【図５】  本発明の洗車機用洗浄ブラシのブラシ片が使用されてある洗車機用洗浄ブラシを前面側から見た斜視図である。
【図６】  本発明の洗車機用洗浄ブラシのブラシ片が使用されてある他の形態の洗車機用洗浄ブラシを前面側から見た斜視図である。
【図７】  本発明の洗車機用洗浄ブラシのブラシ片が使用されてある洗車機用洗浄ブラシが搭載されてある洗車機の正面図である。
【符号の説明】
【００６２】１、１１、２１  ブラシ片
２、１２、２２  不織布
３、１３、２３  フィラメント
４  スリット
５  角部
１６  高分子弾性体
２６  撥水剤
３１、４１、５１  洗車機用洗浄ブラシ
３２、４２  台座
３３  チャンネルブラシ
３４、４４  止め金具
４５  溝部
５０  洗車機
５２  駆動源
５３  ノズル
５４  乾燥機
【図１】
2007068954.tif 000007
【図２】
2007068954.tif 000008
【図３】
2007068954.tif 000009
【図４】
2007068954.tif 000010
【図５】
2007068954.tif 000011
【図６】
2007068954.tif 000012
【図７】
2007068954.tif 000013